Podtech/llm-jp-corpus-v4-ja_patent huggingface dataset:
(57)【要約】      （修正有）【課題】取り替えが可能なペット用マフラータイプ首輪を提供する。【解決手段】従来のペット用首輪の輪の部分を取り替え可能とすることによって、機能性を含み且つ個性的なファッション感覚を備えた首輪である。【選択図】図１
0003107630.tif 000002
【実用新案登録請求の範囲】
【請求項１】
皮、毛皮、布を素材にし、ペットの首輪サイズに素材を切る。首輪台（図２、Ａ）に、バックル、スナップボタンまたは磁石ボタン（以下ボタン）、金輪（引き綱をかける）を固定する。首輪カバーとなる取り替え部（図５、Ｄ）にも首輪台と同じ間隔でボタンを付けることにより、幾通りの柄や形の異なるファッション首輪となる。
【考案の詳細な説明】
【技術分野】
【０００１】本考案は、皮、毛皮、布を素材としたペット用マフラータイプ取り替え首輪である。
一つの首輪で何種類のファッション首輪が楽しめるグッツである。
【背景技術】
【０００２】従来のペット用首輪は固定去れたもので、イメージ的にも（拘束する）良くなく、ただ散歩だけの道具である。
【考案の開示】
【考案が解決しようとする課題】本考案は従来の首輪の拘束された冷たいイメージ、また首輪の種類を増やすとコストもかかる。また、犬、猫の種類によっては毛の少ないのもおり寒風吹きすさむ冬には、いかにも寒そうである。加えて公園などで他の犬と争った際に動物にとっては首は致命的な一部出もある。
という観点からペット愛好家に便利さとコスト（金銭的）を解消するのが目的である。
【考案が解決するための手段】
本考案は従来のペット用首輪の輪の部分を取り替えることによって、機能性を含み尚且つ個性的なファッション感覚を備えコスト的にもリーズナブルである。
また、冬場の外出の際には暖かく、不意の他犬による攻撃にも首は守られる。という具合に解決できる。
【図面の簡単な説明】
【０００３】
【図１】  完成図
【図２】  首輪本体
【図３】  ボタンをつけた様子
【図４】  取り替え用カバー
【図５】  取り替え用カバーにボタンをつけた様子
【図１】
0003107630.tif 000003
【図２】
0003107630.tif 000004
【図３】
0003107630.tif 000005
【図４】
0003107630.tif 000006
【図５】
0003107630.tif 000007
【手続補正書】
【提出日】平成15年12月18日(2003.12.18)
【手続補正１】
【補正対象書類名】実用新案登録請求の範囲
【補正対象項目名】全文
【補正方法】変更
【補正の内容】
【実用新案登録請求の範囲】
【請求項１】
ペット用着せ替え首輪に置いて、
（１）皮、毛皮、布を用いたペット用首輪。
（２）本体とマフラーの二つを重ね合わせることによって、変化自在なマフラー付き首輪となる。
（３）首輪本体にボタンあるいは磁気の凸をつける。マフラーの方にも凹となるボタンもしくは磁気をつけ脱着可能とする。
以上からなる（ファッション首輪）。
(57)【要約】【課題】ポスターのような破損を招くことがなく、しかもドア面の汚染を防止することができるアルミ製ドアを提供すること。【解決手段】アルミ製ドア１００は、ドア面を形成する板材本体部１１に画像をデジタルプリントした画像層１２aを設けるとともに、画像層１２aを透明保護層(アクリル塗装膜)１２bで覆って構成される。【選択図】図２
0003107622.tif 000002
【実用新案登録請求の範囲】
【請求項１】
ドア面を形成する板材本体部に画像をデジタルプリントした画像層を設けるとともに、前記画像層を透明保護層で覆って構成されることを特徴とするアルミ製ドア。
【請求項２】
前記画像層は、インクジェット方式でデジタルプリントされている請求項１に記載のアルミ製ドア。
【考案の詳細な説明】
【技術分野】
【０００１】
本考案は、玄関ドア、入口ドアなどとして使用されるアルミ製ドア、特にドア面にデジタルプリントが施されたアルミ製ドアに関する。
【背景技術】
【０００２】
一般家屋、建築物などにおいて、玄関ドアや入口ドアのドア面にポスターを貼っているケースが多々見受けられる。
【考案の開示】
【考案が解決しようとする課題】
【０００３】
しかし、ドア面にポスターを貼った場合、ポスターが破損しやすく、また、ポスターの除去後に接着剤などがドア面に付着したまま残り、ドア面が汚染しやすい。
【０００４】
本考案は、上記のような従来の問題点を解決し、ポスターのような破損を招くことがなく、しかもドア面の汚染を防止することができるアルミ製ドアを提供することを目的とする。
【課題を解決するための手段】
【０００５】
本考案のアルミ製ドアは、ドア面を形成する板材本体部に画像をデジタルプリントした画像層を設けるとともに、前記画像層を透明保護層で覆って構成されることを特徴とする。このアルミ製ドアによると、画像層がドア本体に一体化され、しかも画像層が透明保護層で覆われているため、従来のポスターが貼られたアルミ製ドアと比べ、ポスターに相当する画像層の破損が少なくなるとともに、ドア面の汚染が少なくなる。また、画像層がドア本体と一体化しているため、ドアとポスターとが別体であるアルミ製ドアと比べ、ドア自体の意匠性が著しく向上する。
【０００６】
ここで、画像層は、例えばインクジェット方式でデジタルプリントされている。
【考案を実施するための最良の形態】
【０００７】
以下、本考案の実施形態を図面に基づいて説明する。
【０００８】
図１は、本考案の一実施形態に係るアルミ製ドアの正面図、図２は、その部分断面図及び要部拡大断面図を示す。
【０００９】
図１及び図２において、アルミ製ドア１００は、肉厚１mm〜２mm程度のアルミ板材１を備え、アルミ板材１の形状は、枠状のアルミ心材２及びダンボール製などのハニカム３によって保持される。
【００１０】
アルミ板材１は、一対のドア面を形成する板材本体部１１と、板材本体部１１の表面側の適宜領域に付設された画像形成層１２とを有して構成される。板材本体部１１は、市販のアルミ材からなり、例えば、白色のアルミニウム素地１１aの上に陽極酸化皮膜下地１１bが形成され、この陽極酸化皮膜下地１１bの上に白色顔料入りの焼付塗装をしたアクリル樹脂層１１cが形成されて構成される。画像形成層１２は、板材本体部１１のアクリル樹脂層１１cの上にデジタルプリント好ましくはインクジェット方式によるデジタルプリントされた画像層１２aと、この画像層１２aの視認性を損なわずしかも保護するための透明保護層としてのアクリル塗装膜１２bとにより構成される。画像層１２aには、例えば、図１に示すように、一家の写真がプリントされている。なお、このプリントに使用するインクは、紫外線による品質劣化を防止する上でUVカット効果のあるインクが好ましい。
【００１１】
以上説明したように、本実施形態のアルミ製ドア１００は、ドア面を形成する板材本体部１１に画像をデジタルプリントした画像層１２aを設けるとともに、画像層１２aを透明保護層(アクリル塗装膜)１２ｂで覆って構成される。このアルミ製ドア１００によると、画像層１２aがドア本体に一体化され、しかも画像層１２aが透明保護層１２bで覆われているため、従来のポスターが貼られたアルミ製ドアと比べ、ポスターに相当する画像層１２aの破損が少なくなるとともに、ドア面の汚染が少なくなる。また、画像層１２aがドア本体と一体化しているため、ドアとポスターとが別体であるアルミ製ドアと比べ、ドア自体の意匠性が著しく向上する。
【図面の簡単な説明】
【００１２】
【図１】本考案の一実施形態に係るアルミ製ドアの正面図である。
【図２】同アルミ製ドアの部分断面図及び要部拡大断面図である。
【符号の説明】
【００１３】
１００    アルミ製ドア
１１    板材本体部
１２a    画像層
１２b    透明保護層（アクリル塗装膜）
【図１】
0003107622.tif 000003
【図２】
0003107622.tif 000004
(57)【要約】      （修正有）【課題】和服の重ね着洋服の重ね着女性がトイレの用足し毎にウエストラインヒップラインを整え直す手間とわづらわしさを解消した和洋おしゃれパンＴの提供。【解決手段】パンＴ裾を前後に切り離し後身頃に約５センチ持出し布をつけ前後身頃裾にそれぞれマジックテープを付け後身頃を前身頃にかぶせてとめる。【選択図】図２
0003107631.tif 000002
【実用新案登録請求の範囲】
【請求項１】
女性はウエストからヒップにかけて何枚かの衣類を和洋ともに重ねて着ますスタイルを整えていますにもかかわらず度々のトイレ用足しごとにウエストラインがくずれその度毎に手間かけて元にもどしています。パンＴ裾を開閉出来るよう裁断することにより新しいおしゃれパンＴを考案しました。
【考案の詳細な説明】
【技術分野】
【０００１】本考案は女性が和服洋服を着る時下着パンＴを裾で開閉出来るようにしたものでトイレ用足しに余分なわづらわしさを解消し便利なようにしたものです
〔背景技術〕【０００２】女性がウエストからヒップにかけて和服洋服の場合何枚か衣類が重ね着になります  そうしてスタイルを整えています  にもかゝわらづ度々トイレでウエストラインがくづれてしまいます  パンＴ裾で開閉し用足し出来る便利さを実現する為これまでのパンＴの裾に手を加え開閉出来るようにしました
〔考案の開示〕
〔考案が解決しようとする課題〕【０００３】女性が用足し毎にウエストラインをくずす  そして又衣類のスタイルを整える  １日に何回もくりかえす  そのわづらわしさを解消し手軽に便利にする
〔課題を解決する為の手段〕【０００４】従来パンＴ裾はわになっている裾から約６センチ上の前身頃にハサミを入れ裾を前身頃と後身頃に分解し、後身頃に新しく約５センチ巾を持出布をつける、前身頃表にマジックテープ後身頃裏にマジックテープをつける  前に後を乗せるように合わせ裾を閉じる
〔考案の効果〕【０００５】パンＴ裾で開閉出来るので１日何回かの用足し毎にウエストライン  ヒップラインを元通りにしていた  手間が省け気が楽になります
〔考案を実施する為の最良の形態〕【０００６】パンＴ裾より約６センチ上の前身頃にハサミを入れ裾だけ前後を切り開く後身頃を巾約５センチ持出し前身頃後身頃にそれぞれマジックテープをつけ前身に後身をかぶせてとめる、
〔産業上の利用可能性〕【０００７】パンＴ利用する女性を気楽に出来る成人からそれ以外の人の為、
【図面の簡単な説明】
【０００８】〔図１〕１枚のパンＴを裾で前後に切り分ける
〔図２〕マジックテープをつけて裾をとめる
【図１】
0003107631.tif 000003
【図２】
0003107631.tif 000004
【手続補正書】
【提出日】平成16年7月5日(2004.7.5)
【手続補正１】
【補正対象書類名】実用新案登録請求の範囲
【補正対象項目名】全文
【補正方法】変更
【補正の内容】
【実用新案登録請求の範囲】
【請求項１】
股部分で前身頃と後身頃を分離し、後身頃に持出布をつけ、前身頃表と後身頃の持出布裏にそれぞれマジックテープ（登録商標）をつけ、前に後を乗せるように合わせて裾を閉じるようにしたことを特徴とするパンティ。
【手続補正２】
【補正対象書類名】明細書
【補正対象項目名】全文
【補正方法】変更
【補正の内容】
【考案の詳細な説明】
【技術分野】
【０００１】本考案は、女性用の和洋下着パンティに関する。
【背景技術】
【０００２】女性服は、和服であれ洋服であれ、ウエストからヒップにかけて何枚か衣類が重ね着になる。そうして、スタイルを整えているにもかかわらずトイレの度毎にウエストラインが崩れてしまいやすい。
【考案が解決しようとする課題】
【０００３】女性服は用足し毎にウエストラインがくずれる。そのため、衣類のスタイルを整えるという作業を用足しの度に、つまり、１日に何回もくりかえすことになる。その煩わしさを解消して手軽に便利にすることが本考案の課題である。
【課題を解決するための手段】
【０００４】本考案は、パンティ裾で開閉し用足し出来る便利さを実現する為これまでのパンティの裾に手を加え開閉出来るようにしたものである。すなわち、本考案のパンティは、股部分で前身頃と後身頃を分離し、後身頃に持出布をつけ、前身頃表と後身頃の持出布裏にそれぞれマジックテープ（登録商標）をつけ、前に後を乗せるように合わせて裾を閉じるようにしたことを特徴とする。
【考案の効果】
【０００５】従来パンティ裾は輪になっているのに対し、本考案によれば、パンティ裾で開閉出来るので、１日何回かの用足し毎にウエストラインやヒップラインを元通りにしていた手間が省け、用足しが楽になる。
【考案を実施する為の最良の形態】
【０００６】既存のパンティを利用して本考案を実施する場合について説明する。まず、図１に示すように、１枚のパンティを裾（股部分）で前後に切り分ける。より具体的に述べると、パンティ裾より約６センチ上の前身頃にハサミを入れて裾だけ前後を切り開く。後身頃に新しく持出布をつけて後身頃を巾約５センチ持出しとする。次に、図２に示すように、前身頃の表、後身頃の持出布裏にそれぞれマジックテープ（登録商標）をつけ、前身に後身をかぶせてとめる。
【図面の簡単な説明】
【０００７】
【図１】製作過程のパンティの正面図
【図２】完成したパンティの正面図
【手続補正書】
【提出日】平成16年9月13日(2004.9.13)
【手続補正１】
【補正対象書類名】実用新案登録請求の範囲
【補正対象項目名】全文
【補正方法】変更
【補正の内容】
【実用新案登録請求の範囲】
【請求項１】
股部分で前身頃と後身頃を分離し、後身頃に持出布をつけ、前身頃表と後身頃の持出布裏にそれぞれ面ファスナーをつけ、前に後を乗せるように合わせて裾を閉じるようにしたことを特徴とするパンティ。
【手続補正２】
【補正対象書類名】明細書
【補正対象項目名】０００４
【補正方法】変更
【補正の内容】
【０００４】本考案は、パンティ裾で開閉し用足し出来る便利さを実現する為これまでのパンティの裾に手を加え開閉出来るようにしたものである。すなわち、本考案のパンティは、股部分で前身頃と後身頃を分離し、後身頃に持出布をつけ、前身頃表と後身頃の持出布裏にそれぞれ面ファスナーをつけ、前に後を乗せるように合わせて裾を閉じるようにしたことを特徴とする。
【手続補正３】
【補正対象書類名】明細書
【補正対象項目名】０００６
【補正方法】変更
【補正の内容】
【０００６】既存のパンティを利用して本考案を実施する場合について説明する。まず、図１に示すように、１枚のパンティを裾（股部分）で前後に切り分ける。より具体的に述べると、パンティ裾より約６センチ上の前身頃にハサミを入れて裾だけ前後を切り開く。後身頃に新しく持出布をつけて後身頃を巾約５センチ持出しとする。次に、図２に示すように、前身頃の表、後身頃の持出布裏にそれぞれマジックテープ（登録商標）のような面ファスナーをつけ、前身に後身をかぶせてとめる。
(57)【要約】【課題】  物干し竿にハンガーを掛けるとき、風によってハンガーの片寄りを防止する物干し竿を提供する。【解決手段】  物干し竿の一側に１０〜１５ｃｍ間隔でハンガー掛け用のフックを装着することによって、ハンガーの風による片寄りを防げる。【選択図】  図１
0003107636.tif 000002
【実用新案登録請求の範囲】
【請求項１】
物干し竿（１）の１側にハンガー掛け用のフック（２）を一定の間隔を置いて長手方向に多数設けたことを特徴とした物干し竿。
【考案の詳細な説明】
【技術分野】
【０００１】
本考案は、風によってハンガーの位置がずれることのないハンガー掛け用のフックを設けた物干し竿に関する。
【背景技術】
【０００２】
洗濯物を物干し竿にかける場合、シーツなどは広げて竿にかける。また、形のある衣服、例えばＹシャツ等はハンガーに掛けて物干し竿にかけるが、風のあるときは、ハンガーが片寄り取りこみにくく、また乾きが遅くなり、シワができる等の問題が生じている。
【特許文献１】特開２００２−８５８９５号公報
【考案の開示】
【考案が解決しようとする課題】
【０００３】
前記公知例は、竿にハンガー掛け用の穴を明けた物干し竿であるが、穴にハンガーを差し込むことが面倒で、また不安定である。その他いくつかの考案が開発されているが、簡単にハンガーを掛けられる物干し竿は見当らない。
【課題を解決するための手段】
【０００４】
考案者はこの点に鑑み鋭意研究を重ねた結果本考案に到達したものであって、本考案は、物干し竿の一側にハンガー掛け用のフックを一定の間隔を置いて列設するもので、これによってハンガーの取り付け、取り外しが容易となるばかりか、風によるハンガーの片寄りもない。
【考案の効果】
【０００５】
上述のように本考案の物干し竿は、ハンガー掛け用のフックを列設してあるため、掛けたハンガーが風によって片寄ることなく、しかもハンガーの取り付け、取り外しが容易であるため洗濯物の処理が楽となって家事がスムーズに運べる作用効果を奏する。
【考案を実施するための最良の形態】
【０００６】
図示されるように、本考案の物干し竿は、竿（１）の一側にハンガー掛け用のフック（２）を列設した物干し竿を提供する。
【実施例】
【０００７】
添付図面により本考案の物干し竿を説明すると、図１は全体を示す正面図であり、竿（１）に対して一側の長手方向にフック（２）を列設するものである。このフック（２）は図２の詳細図に示すようにボルト止めでも接着剤で固定するものでよい。またフック（２）の間隔は１０〜１５ｃｍ位が適当である。
【０００８】
本考案のフック（２）は竿（１）の一側に列設してあるもので、ハンガー（図示していない）を掛けない場合には、フック（２）側を下に向けて使用すれば通常通り上に干すことができる。
【産業上の利用可能性】
【０００９】
上述のように本考案の物干し竿は、竿自体にフック金具を列設するものであるため、ハンガーの取付け、取外しが容易であり、洗濯物の処理が簡単であるため利用価値は十分ある。
【図面の簡単な説明】
【００１０】
【図１】竿全体を表わす正面図
【図２】要部の説明図
【符号の説明】
【００１１】
１  竿
２  フック金具
【図１】
0003107636.tif 000003
【図２】
0003107636.tif 000004
(57)【要約】      （修正有）【課題】一般の家庭でも特別な工事も要せず、しかも雨樋や外壁の損傷もなく、氷魂や雪魂の落下による被害も防げる。【解決手段】棒状ヒーターを屋根の雪止めアングルを利用して設置するものであって、ヒーターＡを、雪止めアングル５より上部の屋根または軒先部分の屋根上にアングル金具５を利用して止め金具１０によって固定されている。屋根工事も簡単で、電力の消費も少なく、経済的である。【選択図】図２
0003107635.tif 000002
【実用新案登録請求の範囲】
【請求項１】
塩ビ管（１）内に発熱体（２）を設けてパイプ状ヒーターＡを形成し、該棒状ヒーターＡを屋根雪止めアングル（５）より軒端方向の部分および／または屋根側に設けたことを特徴とする屋根・軒先融雪構造。
【考案の詳細な説明】
【技術分野】
【０００１】
本考案は、屋根軒先の融雪を目的とするものであって、特に軒先に設置してある雪止めアングルより先の軒端部分の融雪構造に関する。
【背景技術】
【０００２】
雪国の生活では屋根上に積る雪の処理は大きな問題であり、種々の融雪・消雪装置が開発され、個々にはそれぞれ効果があって実用化されている。
【特許文献１】特開平０７−１１４９７５号公報
【考案の開示】
【考案が解決しようとする課題】
【０００３】
屋根の融雪・消雪装置としては、屋根の棟上から温水を流すもの、屋根板下に発熱体を配置するもの、更には軒端に雪止め具を設けて雪塊の落下を防止するもの等様々の考案がある。
【０００４】
しかし、これら公知の融雪・消雪装置は構造が複雑となるばかりか、モーターやポンプを使用するとか、屋根板を剥して改めて発熱体を敷設する等作業に手間がかかるばかりか、大掛りな工事となるため設備費も嵩むという欠点を有している。
【０００５】
更には屋根上の積雪は徐々に軒端方向に移動して雪止めアングルがあるとしても、この部分で積雪があり、軒端で雪が巻き込む現象が生じて樋を破損することや、大きなツララとなって氷魂が落下して事故を起す原因となっている。
【課題を解決するための手段】
【０００６】
考案者は、この点に鑑み鋭意研究を重ねた結果本考案に到達したものであって、本考案は発熱体としてパイプ状体あるいは棒状体のヒーターを用い、このヒーターを屋根軒先の雪止めアングルより軒端部又は、雪止めアングルより上部屋根に配置することによって、軒先または屋根部分の雪を融かし、氷魂・雪塊の落下やスガモリを防止することができる。
【０００７】
そして、このヒーターの取付けおよび管理はきわめて簡単容易であって、単に屋根上に配置し、雪止めアングルに支持させて電源に接続するのみで目的が達せられる。
【考案の効果】
【０００８】
上述のように本考案の屋根軒先融雪構造は、ヒーターを線状あるいはパイプ状とし、雪止めアングルを利用して簡単に取付けられるため、一般の家庭でも特別な工事も要せず、しかも雨樋や外壁の損傷もなく、氷魂や雪塊の落下による被害も防げるという、従来からの屋根融雪装置に比較して顕著な作用効果を奏する。
【考案を実施するための最良の形態】
【０００９】
添付図面図１，図２を参照して、ヒーターは雪止め金具を利用して簡単に取付けられ、発熱体を外被の塩ビパイプに内接してあるため熱効率がよい。又、必要に応じて制御盤を設置し、温度センサー，降雪センサーを取り付けることができ、センサーにより自動運転も可能になるため実施化は容易である。
【実施例】
【００１０】
添付図面により本考案の実施例を説明すると、図１は屋根・軒先部の融雪ヒーターＡの配設構造を示すものであって、図は屋根・軒先部分の略図であって、Ｌ金具は雪止めアングル（５）であり、雪国の屋根には通常設けられていて、積雪はこの雪止めアングル（５）によって、積雪の落下が止る構造となっている。
【００１１】
しかし、この雪止めアングル（５）より上部は雪止めアングルで止まった雪が積雪化、又は雪塊化し融けにくい。また、軒端側に積った雪は雪塊となって落下するおそれがあり、またツララが大きくなって雨樋を破壊する原因ともなる。このため本考案は、この雪止めアングル（５）より上部、または雪止めアングル以下の軒先部分の融雪構造であって、
図示するようにパイプ状の融雪ヒーターＡを必要本数だけ設けるものである。
【００１２】
図２は屋根上のヒーターＡの配置図であって、雪止めアングル（５）より上部の屋根または軒先部分の屋根上にアングル金具（５）を利用して止め金具（１０）によって固定されている。図中の（７）は継ぎ手を示している。
【００１３】
図３はパイプ状の融雪ヒーターＡの断面図であって、図により説明すると、（１）は筒状の塩ビ製パイプで、この中に蓄熱用砂（３）を詰め、この芯に発熱用の伝熱線（２）を挿通して構成されているため熱効率がよく、融雪パイプとして図１，図２のように使用する。
【産業上の利用可能性】
【００１４】
本考案の屋根軒先融雪構造によるときは、屋根上の雪止めアングルより下の雪を融かし、危険な雪のせり出しや、雪崩を防ぎ、ツララを無くすことができる。
【００１５】
しかも、屋根内部に設置するものでなく、屋根上に直接取付けるパイプ構造のため、既存の屋根に簡単に取付ができるため工事費も安く、工期も短くなるため広くの実施化が可能となる。
【図面の簡単な説明】
【００１６】
【図１】本考案の屋根軒先部の融雪構造
【図２】屋根上の配置図（矢印は屋根の流れ）
【図３】融雪パイプの実施例図
【符号の説明】
【００１７】
１  塩ビパイプ
２  発熱体
３  蓄熱体
５  雪止めアングル
６  雨樋
７  継ぎ手
８  電源
９  立桶
１０  止め金具
Ａ  軒先融雪ヒーター
【図１】
0003107635.tif 000003
【図２】
0003107635.tif 000004
【図３】
0003107635.tif 000005
(57)【要約】【課題】ごみステイションのカラス等によるごみの散乱防止と、ごみ回収後のネット放置を防ぐ為のネット収納カゴの設置。【解決手段】フックの付いた支柱にごみ袋を掛け、更にネットで覆い散乱を防止する。ごみ回収後は、支柱の頂部に固定されたカゴにネットを収納出来るので、町の景観を乱すことがない。【選択図】図２
0003107638.tif 000002
【実用新案登録請求の範囲】
【請求項１】
地中に打込んだアンカ−に人の高さ程度の鋼管状の支柱を固定する。支柱には４箇所づゝつ４段にフックが付いていて、ごみ袋をつり下げることが出来る。この場合下段のフックは地上からカラスが届かない位置に設置してあり、散乱されない。
【請求項２】
支柱の頂部にネットを収納するカゴが固定されていて、カゴ周囲の丸環にネットの端部が留めてあり、ごみ袋が有る時はネットを垂らし、無い時はカゴの中に収納出来るので、町の景観を損ねない。
【考案の詳細な説明】
【技術分野】
【０００１】    本考案はごみスティションに集まるごみ袋をカラス等による散乱を防ぐ為、支柱にフック掛け出来る。又収納カゴの中のネットを垂らし覆うことが出来る。
【背景技術】
【０００２】    従来のごみステイションはごみ袋が漠然と地積され、ネットが掛けられていたが、カラスの被害は免れず、又ごみが無い時もネットが無造作に置かれ、町の景観を乱していた。
【考案の開示】
【考案が解決しようとする課題】
【０００３】    ごみステイションのごみ散乱防止と、ごみが無い時のネットの収納方法。
【課題を解決するための手段】
【０００４】    地中に打込んだ堅固なアンカ−に鋼管状の支柱を固定する。支柱には４箇所づゝ４段計１６個のフックが付いていて、ごみ袋をつり下げることが出来る。この場合下段のフッックは地上からカラスが届かない位置に設置する。更に、支柱の頂部にネットを収納するカゴが固定してあり、ごみ袋が有る時はネットを垂らし、無い時はカゴの中に収納する。カラス等による散乱妨止と町の景観を考えたごみ袋スタンド。
【考案の効果】
【０００５】    ごみ袋は地積みでなく支柱のフックにつり下げてあり、かつネットで覆われている為、カラス等に散乱されることがない。又下段もフックの位置が高めに設置してあり、地上から届かないようになっている。更にごみ回収後は支柱の頂部のカゴにネットを収納しておけるので景観を乱すこともない。又、ごみの回収に特別支障はなく、降雪地帯でも雪に埋まることもない。
【考案を実施するための最良の形態】
【０００６】    ごみ袋スタンドは通常の人の手が届く高さとし、利用する時は少さいごみ袋は上段に、大きいごみ袋は下段に、又特にカラス等の被害になりやすい生ごみ袋は中段に掛けるようにする。フック数から数件分が限界なので、量の多い場合はスタンドの数を増やす。
ごみ袋の数と中身で全体の重量が嵩むことも予想されるので、地中に打込むアンカ−は堅固でなければならないし、又舗装面も予想されるので、専門店の施工がよい。
【図面の簡単な説明】
【０００７】
【図１】    ごみ袋が無い時のごみ袋スタンドの立面図である。
【図２】    ごみ袋が有る時のごみ袋スタンドの立面図である。
【図３】    ごみ袋スタンドの上から見た平面図である。
【符号の説明】
【０００８】    ａ．  支柱
ｂ．  フック
ｃ．  ネット
ｄ．  カゴ
ｅ．  アンカ−
ｆ．  ごみ袋
【図１】
0003107638.tif 000003
【図２】
0003107638.tif 000004
【図３】
0003107638.tif 000005
【手続補正書】
【提出日】平成16年8月5日(2004.8.5)
【手続補正１】
【補正対象書類名】実用新案登録請求の範囲
【補正対象項目名】全文
【補正方法】変更
【補正の内容】
【実用新案登録請求の範囲】
【請求項１】
（１）地中に堅固に打ち込まれたアンカーに固定された垂直の支柱
（２）支柱に設置されたごみ袋をつり下げる幾段ものフック。
（３）支柱の頂部に設置されたネット収納するカゴ。
（４）カゴの周囲に端部が留められたごみ袋を覆うネット。
以上からなるカラス等による散乱防止用ごみスタンド。
0003107638.tif 000006
0003107638.tif 000007
0003107638.tif 000008
(57)【要約】【課題】  タグを見やすく装着でき、しかも布製品の使用を邪魔せず、必要に応じて、タグをそのまま長期間布製品と共に保持できる布製品用ハンガーを提供する。【解決手段】  ハンガーを全体にプラスチックの一体成形からなるものとし、布製品吊下用肩部１の中央上方に首部４を介して吊下用の鉤部２が設け、該首部の中央部に開口部３が存在し、該開口部３の下端から上方に向けて延びる舌片５が設けられており、該舌片５の上端と前記開口部３の周辺の間に空隙６が存在するものとした。舌片６には、タグピン装着用の小孔７を設けてもよい。【選択図】図１
0003107676.tif 000002
【実用新案登録請求の範囲】
【請求項１】
全体にプラスチックの一体成形からなる布製品用ハンガーであって、布製品吊下用肩部の中央上方に首部を介して吊下用の鉤部２が設けられており、該首部の中央部に開口部が存在し、該開口部の下端から上方に向けて延びる舌片が設けられており、該舌片の上端と前記開口部の周辺の間に空隙が存在するこを特徴とする布製品用ハンガー。
【請求項２】
前記舌片に小孔が設けられていることを特徴とする請求項１の布製品用ハンガー。
【請求項３】
前記肩部に小孔の存在する突起が設けられていることを特徴とする請求項１又は２の布製品用ハンガー。
【請求項４】
前記舌片が可撓性ある薄板状をなすことを特徴とする請求項１〜３いずれか１項の布製品用ハンガー。
【考案の詳細な説明】
【技術分野】
【０００１】
本考案は、タグを装着可能な布製品用ハンガーに関する。
【背景技術】
【０００２】
衣服、シーツ、風呂敷、タオル等の布製品に、その品質や価格などを表示するためのタグを吊下げて展示・販売することが広く実施されているが、タグをタグピンで布製品に装着するためには、布製品を傷つけることとなり、また、需用者は、購入した布製品の使用時に、タグピンと共にタグを布製品から除去する必要があるが、タグピンは、ナイロン樹脂製等で強固であるため、ハサミ等で切断除去する必要があり、その取扱いには問題があった。また、一度、切断除去すると、そのタグが取付けられていた製品としては役立たなくなり、廃棄処分されるだけであった。
【考案の開示】
【考案が解決しようとする課題】
【０００３】
本考案は、布製品を傷つけることなく、タグを、見やすく装着でき、しかも布製品の使用を邪魔せず、場合によっては、必要なタグは、そのまま長期間布製品と共に保持できる新規な布製品用ハンガーを提供することを課題とする。
【課題を解決するための手段】
【０００４】
本考案の布製品用ハンガーは、全体にプラスチックの一体成形からなるものであって、布製品吊下用肩部の中央上方に首部を介して吊下用の鉤部が設けられており、該首部の中央部に開口部が存在し、該開口部の下端から上方に向けて延びる舌片が設けられており、該舌片の上端と前記開口部の周辺の間に空隙が存在するようにしたものである。
【０００５】
前記舌片には、タグピン取付け用の小孔を設けるのが好ましく、また、布製品吊下用肩部にも小孔の存在する突起を設けるのが好ましい。
【０００６】
なお、前記舌片は可撓性ある薄板状となすことによって、タグ（下げ札）や布見本、ボタン等の入った小袋の吊下げ紐を舌片上の空隙を通して、舌片に引っ掛けて吊下げるのに、好都合となる
【０００７】
ハンガーの肩部の形状は、通常市販のハンガー、例えばシーツや風呂敷用、スカートやズボン用、衣服用等のいずれの形状であってもよい。
【考案の効果】
【０００８】
本考案のハンガーは、ハンガーの首部に設けた舌片に、タグや布見本等を容易に安定して吊下げることができるので、布製品を傷つけることなく、そのハンガーに装着した布製品の品質や価格等を見やすく消費者に表示できる。更に、この舌片に小孔を設けておくことにより、タグピンで容易にタグを固定することも可能となる。
【０００９】
タグや布見本等を、このようにハンガーに安定して保持できるため、布製品の使用に当たって、タグや布見本等を取り除く必要はなく、布製品はそのまま品質よく使用することができ、また、ハンガーにタグや布見本等を吊下げた状態で保存できるため、そのハンガーに装着する布製品の品質表示等を、消費者は、ハンガーに装着したタグ等により常に認知するいことが可能である。
【考案を実施するための最良の形態】
【００１０】
本考案の一例を図面に従って説明する。
図１の例は、暖簾、シーツ、枕カバー等のためのハンガーであって、ポリオレフィンで一体成形されたものである。布製品吊下用肩部１は、シーツ等を挟んで保持できるようになっており、中央上方には、平板状の首部４と鉤部２が設けられており、該首部４の中央部には円形の開口部３が存在し、この開口部３には、その下端から上方に向けて延びる舌片５が設けられており、この舌片６の上端と円形開口部３の周辺の間に空隙６が存在するようになっている。
【００１１】
舌片５は、厚さ約２ｍｍの可撓性ある薄板状に形成されており、下方中央部に直径約３ｍｍの小孔７が設けられており、また、舌片５の上端と開口部３の周辺との間の空隙６は０．１ｍｍ以下となっている。
【００１２】
更に、ハンガーの肩部１には、直径３ｍｍの小孔７ａを設けた突起８が設けられている。
【００１３】
かかるハンガーは、舌片５が可撓性ある薄板状となっており、その上端と開口部３の間に空隙が存在するため、図１のＢのように、舌片５にタグや布見本９ａ等を吊下げて安定して保持でき、また、図１のＣのように、舌片５の小孔７にタグピンでタグ９ｂを吊下げることも容易である。
【００１４】
図２の例は、ハンガーの肩部１を衣服吊下げ用としたものであり、図１の例と同様に機能するものである。
【図面の簡単な説明】
【００１５】
【図１】図１は本考案の一例を示すもので、Ａはハンガーの正面図、Ｂ及びＣはＡのハンガーの使用状態を示す正面図である。
【図２】図２は本考案の他の一例を示す正面図である。
【符号の説明】
【００１６】
１    肩部
２    鉤部
３    開口部
４    首部
５    舌片
６    空隙
７    小孔
８    突起
【図１】
0003107676.tif 000003
【図２】
0003107676.tif 000004
(57)【要約】      （修正有）【課題】水だしコーヒーを飲もうとする為には抽出する時のスペースを気にせず器具の数を減らして洗浄は簡単にして器具自体も廉価にすることにより家庭に於いてはもちろん、喫茶店等でも水だしコーヒーを抽出する為に、スペースを取らず簡単に濃厚なコーヒーを抽出するために、衛生面を考慮した水だしコーヒー専用器具を提供する。【解決手段】上部ガラス器具の底に湿らせた紙のフィルターを敷き、湿らせたコーヒーの粉を入れ氷をその上に乗せその氷が溶けることにより数時間後に濃厚なコーヒーが下部ガラス器具に抽出される、コーヒーの粉とフィルターは廃棄し、抽出されたコーヒーは別の容器に移し替えて冷蔵保存し、ガラス器具は洗浄して保管する。【選択図】図１
0003107608.tif 000002
【実用新案登録請求の範囲】
【請求項１】
円筒形のドリッパーとサーバーにフィルターと氷を使い、氷から溶けだす水がコーヒーの粉に浸透し濾過される時間を利用してコーヒーを抽出する器具であって前期ドリッパーは円筒形の側壁と底部を備え上部は開口し該底部は中心に向かって緩やかに下り勾配が付けて有り、中心付近にはコーヒーをサーバーに滴下させるための開口部を備え、該側壁の下端は前記底部の開口部よりも下方に位置し、前記サーバーは、円筒形の側壁と平底を備え、上端部は開口し、開口部の外径は前記ドリッパーの下端部の内径より小さく前記ドリッパーの下端を前記サーバーの上端に着脱可能にはめ合わせてなり、ドリッパーとサーバーの胴部外径をほぼ同じにすることを特徴とする水出しコーヒー専用器具。
【考案の詳細な説明】
【技術分野】
【０００１】  本考案は、洗浄を簡単にしてスペースを取らない水だしコーヒーを抽出するコーヒー器具に関するものである。
【背景技術】
【０００２】  水だしコーヒーは通常一部の喫茶店、コーヒー専門店等に設置された特種な器具を使って抽出されたコーヒーであり、、特種な器具とスペースを必要とし、ガラス部品の数が多く洗浄には手間が掛かり、器具自体は大変高価なもので、家庭に於いてはもちろん喫茶店等でもほとんど飲むことはできない。
【考案の開示】
【考案が解決しようとする課題】
【０００３】  水だしコーヒーを飲もうとする為には、抽出する時のスペースを気にせず、器具の数を減らし、洗浄を簡単にして器具自体も廉価にすることにより前述の問題を解決しようとするものである。
【課題を解決するための手段】
【０００４】  本考案は、円筒形のドリッパーとサーバーにフィルターと氷を使い、氷から溶けだす水がコーヒーの粉に浸透し濾過される時間を利用してコーヒーを抽出する器具であって前期ドリッパーは円筒形の側壁と底部を備え上部は開口し該底部は中心に向かって緩やかに下り勾配が付けて有り、中心付近にはコーヒーをサーバーに滴下させるための開口部を少なくとも一つ備え、該側壁の下端は前記底部の開口部よりも下方に位置していて前記サーバーは、円筒形の側壁と平底を備え、上端部は開口し、開口部の外径は前記ドリッパーの下端部の内径より小さく前記ドリッパーの下端を前記サーバーの上端に着脱可能にはめ合わせてなることを特徴とする水出しコーヒー専用器具でスペースは円筒状の部分だけとなり、フィルターは使い捨てる事で洗浄はドリッパーとサーバーだけとなる、又、器具自体も二つだけなので廉価となり課題を解決している。
【考案の効果】
【０００５】  本考案の器具に氷を使うことにより抽出されたコーヒーは、一部の喫茶店、コーヒー専門店等に設置された特種な器具を使って抽出されたコーヒーと同じように時間をかけて一滴ずつ抽出することができ、味、香りなどを比較しても何ら遜色は無く、前記サーバーの開口部の外径を前記ドリッパーの下端部の内径より小さくして前記ドリッパーの下端を前記サーバーの上端に着脱可能にはめ合わせてなることにより前記ドリッパーの胴部外壁に結露した水滴、或いはゴミ等が前記サーバーに入らない様になっていて、前記ドリッパーの胴部外径と前記サーバーの胴部外径がほぼ同じである事によりスペースを取らず、用意する材料はコーヒーの豆と氷だけで経済的にも良く、洗浄も簡単でありフィルターは使い捨ての為便利である。
【考案を実施するための最良の形態】
【０００６】  室温２５度前後で使用し、氷は、小さいと溶けるのが早すぎドリッパーに入りきら無いため予め円筒上に固めておき、その氷の塊から溶ける水がコーヒーの粉にゆっくりと浸透していく、コーヒーの粉は氷の塊から溶け出した水がコーヒーの粉全体に万遍なく浸みわたるように同量の水で湿らせておき、ドリッパーの底部開口部を塞ぐ紙のフィルターはコーヒーの粉を詰めるときにずれないように濡らして敷く、その上から前記コーヒーの粉を詰め軽く押さえその上に氷の塊をのせて前記ドリッパーの下端部をサーバーの上端にはめ合わせる、数時間経過することにより濃厚なコーヒーが抽出される。
【実施例】
【０００７】  以下、添付図面に従って実施例を説明する。図面１のドリッパー１は下端が底面より下方にあり上げ底に成っていて底面は中心に向かって緩やかに下り傾斜を持たせてあり底面開口部３がある、ドリッパー１とサーバー２は、ほぼ同じ直径の円筒形のものでありサーバー２は開口部だけを器具の厚み分直径を狭くしドリッパー１の下端より底面に向かってはめ合わせて使用する。それによりドリッパー１とサーバー２は安定し、湿気の多い時期ドリッパー１が結露した時の水滴及びゴミ等がサーバー２に入らない様に覆い被せる形に成っている。【０００８】  ドリッパー１底部の開口部３を塞ぐように湿らせた紙のフィルター４を敷き、氷の塊５から溶けだした水がコーヒーの粉６に万遍なく浸みわたるようにする為にコーヒーの粉６は同量の水で湿らせて紙のフィルター４の上に詰め、予め作っておいた氷の塊５を乗せる、ドリッパー１の胴部を持ちサーバー２の開口部にはめ合わせる事に依り数分後氷の塊５が溶け始めコーヒーの粉６に浸透し濾過しながら底部開口部３より一滴づつ抽出が始まり、数時間後にサーバー２に濃厚な水だしコーヒーの抽出が完了する。【０００９】  抽出口後コーヒーの粉６と共にフィルター４を廃棄し抽出されたコーヒー９は別の容器に移し冷蔵保存するドリッパー１とサーバー２は洗浄して重ねて保管する。
【図面の簡単な説明】
【００１０】
【図１】本考案の水だしコーヒー専用器具の実施例を示す断面図
【図２】本水だしコーヒー専用器具の断面図
【符号の説明】
【０００８】    １  ドリッパー
２  サーバー
３  底面開口部
４  紙のフィルター
５  氷の塊
６  水で湿らしたコーヒー粉
７  結合部分
８  抽出しているコーヒー
９  抽出されたコーヒー
【図１】
0003107608.tif 000003
【図２】
0003107608.tif 000004
(57)【要約】【課題】塗装等液体を刷毛にて上部の従来での上向き塗布を行う時、塗布ちゅうに刷毛より液体が垂れて刷毛の柄１、を通じて垂れた液体材が手に付着し、さらに床、壁等付近に液体で汚すことが現状である。これらを防ぐことは困難で塗布等の専門職においても多少の垂れは防ぐ手立ては無く付近を汚すことを前提にシート等で養生した後に塗布を行っている。このように手、床、壁等付近を汚すことは、いまだに十分な手立てはなく極力防ぐことは大きな課題とされていたる。【解決手段】液体材の塗布用の刷毛の柄に、わん型つばを取り付けて液体等のたれを防ぐ。【選択図】図１
0003107609.tif 000002
【実用新案登録請求の範囲】
【請求項１】
塗装等液体材（以下液体材と言う）の塗布をなす道具である刷毛よりたれてくる液体材が、刷毛の柄におよび、それを持つ手に付着することを防ぐわん型つば形状の道具
【考案の詳細な説明】
【技術分野】
【０００１】本考案は、液体材の塗布をなす道具である刷毛よりたれてくる液体材が、刷毛の柄におよぶ。それを持つ手に付着することを防ぐ形状の道具に関する物
【背景技術】
【０００２】従来は、このような道具は無く、液体材の塗布時に液体がたれて手につくことを防ぐ手だてはなかった【０００３】このように刷毛による液体材の塗布時にたれる液体は手につき床にもたれることを防ぐことを必要とする
【特許文献１】特開１０−９４７４７
【考案の開示】
【考案が解決しようとする課題】
【０００４】刷毛による液体材の塗布時にたれる液体は刷毛の柄を通じ手につき床にもたれることを防ぐことを課題とする
【課題を解決するための手段】
【０００５】刷毛による液体材の塗布時（主に上向きの塗布）に下方向にたれてくる液体を刷毛の柄に、わん型つばを取り付けて固定する。
【考案の効果】
【０００６】これらを取り付けることにより液体の上向き塗装時においても液体のたれは、わん型つばで食い止めることが出来、手につかなかった。
【考案を実施するための最良の形態】
【０００７】従来の刷毛の柄にわん型つばを取り付け固定されたもの
【実施例１】
【０００８】図１は本道具を刷毛の柄に取り付けた外観図である。
【図面の簡単な説明】
【０００９】
【図１】刷毛の柄に取り付けられたわん型つばの外観図（実施例１）
【図２】断面図である
【符号の説明】
【００１０】１、刷毛の柄
２、わん型つば
【図１】
0003107609.tif 000003
【図２】
0003107609.tif 000004
(57)【要約】【課題】  本考案のリフト付キャスター補助輪を装着することによって自動車の走行時に生ずる宿命ともいえる内輪差を除去することにある。【解決手段】  本考案は四輪自動車が走行時に内輪差を生じる時のみ、その効力を発揮するものであり、電動油圧リフトの機能を生かして走行しながらキャスター補助輪を着地させ、同時に後車輪を浮上させ三点接地の走行状態を作るが、三点接地による車体のバランスは浮上した後車輪が微細なバランスの補充に役立つので安全性は確保されるその間の走行時速は約５Ｋｍ以内である。内輪差が懸念されない走行になった時はリフトで補助輪を元の状態に格納することになる。【選択図】      図３
0003107685.tif 000002
【実用新案登録請求の範囲】
【請求項１】
前輪駆動の自動車の後車輪軸の中央部にリフト付キャスター補助輪を装着することにより後輪を浮上し、同時に補助輪を接地させることで、一時三輪接地走行の状態を作るにより自動車本体の回転移動を可能にすることによって走行中の内輪差を除去する装置。
【考案の詳細な説明】
【技術分野】
【０００１】
本考案は、キャスター式車輪の３６０度回転機能を活用し、狭隘な交差点や車庫の出し入れ等に生じる内輪差を除去する装置である。
【背景技術】
【０００２】
三角形の図形なら決定的平面であり回転移動は可能の原則に基づき加えてキャスター式車輪の３６０度回転走行移動の自由の特性を組合せたものである。
【考案の開示】
【考案が解決しようとする課題】
【０００３】
四輪自動車が持つ宿命的内輪差が狭隘な道路や車庫の出し入れ交差点での運転操作の教習に大きな負担となり、この事が交通事故の因ともなっている。一時的に（必要な時）自動車の四点接地を三点接地にすることによって回転移動を可能にすることによって結果的に内輪差を除去する。
【課題を解決するための手段】
【０００４】
本考案は、自動車の後車輪軸の中央部にリフト付キャスター補助輪をつけることにより必要な時だけリフトにより後車輪を浮上させ同時にキャスター式車輪を着地させる事によって三輪走行の状態を作る。この時後車輪の緩衝装置による垂れ下りを制御するリフトを後車輪の両側に装着する。
【０００５】
キャスター式車輪の制動装置は、外部入力とした。３６０度回転に対応するため（小型の市販のキャスター式車輪についての制動装置を参考にした）
【０００６】
リフトは電動油圧式運転席で操作する。交差点に入る手前３０ｍ位でスイッチを入れる。
【考案の効果】
【０００７】
内輪差がなくなることで狭隘な路地での曲折運転操作や車庫入れ操作が極めてスムーズに安全が確保され女性層や老人層の更なる需要拡大が期待される。
【０００８】
内輪差が原因での人身事故や物損事故の減少が約束され安全性の飛躍的向上が予想される。
【０００９】
現在市販中の前駆の自動車にも、本考案の装備は容易低廉に可能である。
【００１０】
三輪接地による自動車の操作の容易性安全性は一段と高まる。今まで不可能とされていた場所にでも駐車可能になり、需要拡大による経済効果が期待される。
【００１１】
本考案のキャスター式補助輪を使用することで事故の際牽引が可能になりレッカー車の依頼は不要となる。  
【００１２】
パンク修理等事故の時、このリフト付補助輪が活用される。
【考案を実施するための最良の形態】
【００１３】
運転走行中の一連の電動スイッチによりリフトの昇降を可能にするがそのための電源スイッチの作動状況が運転者に明示されるようにする（点滅、警音）キャスター式車輪は安全走行を確実にする材質機能型式を選択する。タイヤはノーパンクの材質を使用する。
主リフトと副リフト（両後車輪制御用）の機能作用点を予め余裕をもって計測セットしておく。（変化に対応するため）
【実施例】
【００１４】
本考案は実物では実施不可能であるから模型により実施した。市販のプラモデルを利用してリフトを降ろした状態でのキャスターを取り付けた試作モデル車を改造してモデル車での理論上可能な走行状況を試行した。前輪駆動の微細な機能は実験できなかったが試作モデル車でも予想した結果は実現できた。以下添付図面図３について説明する。Ｐは前車軸の中心でＯＰを半径とする円周上の接線ＰＱ１の軌跡が車体の走行状態である。後部キャスター車輪の走行軌跡としてＱ１−Ｑ２−Ｑ３となる。
【図面の簡単な説明】
【００１５】
【図１】本考案を装着走行時の側面図
【図２】本考案の自動車の平面図
【図３】本考案の自動車の左折走行状況である。
【図４】本考案の自動車が極めて狭隘な空地に駐車して発進する際の自動車の移動の推移を示したものである。
【符号の説明】
【００１６】
Ａ  左前車輪
Ｂ  右前車輪
Ｃ  左後車輪
Ｄ  右後車輪
Ｑ  キャスター車輪
Ｑ１、Ｑ２、Ｑ３  キャスター車輪の移動位置
Ｏ  自動車の回転の中心
Ｐ  前車輪軸の中心
Ｌ  キャスター用リフト
ＳＬ  後車輪用副リフト
【図１】
0003107685.tif 000003
【図２】
0003107685.tif 000004
【図３】
0003107685.tif 000005
【図４】
0003107685.tif 000006
(57)【要約】      （修正有）【課題】苗箱収納棚の棚段奥部に収容されている実装苗箱を棚の段面状に沿って円滑かつ効果的に作業者が手元に引き出すことのできる苗箱レーキを提供する。【解決手段】苗箱係合用のアングル材１としての断面L型のアルミニウム製の押出板材と柄部としての表面に円周方向に細かい凹凸が連続している断面丸型のアルミニウム製の異形押出パイプ材２とからなり、該押出板材のいずれか一方のアングル平面の長手方向中央部にその長手方向に直交して上記パイプ材の先端を固定し上記板材のいずれか他方のアングル平面がパイプ材に対しアングル状に支出して苗箱との係合片６を構成することを特徴とする苗箱用レーキ。【選択図】図２
0003107688.tif 000002
【実用新案登録請求の範囲】
【請求項１】
柄部の先端に苗箱係合用のアングル板材を取付けたことを特徴とする苗箱用レーキ。
【請求項２】
長手方向に沿ってアングル状に折り曲げられた長手方向細幅の板材の折曲げ片のうちいずれか一方を苗箱との係合片とし、いずれか他方を柄部取付片とした請求項１記載の苗箱用レーキ。
【請求項３】
柄部の握り面に滑り止め加工を施した請求項１または２記載の苗箱用レーキ。
【請求項４】
苗箱係合用のアングル材としての断面L型のアルミニウム製の押出板材と柄部としての表面に円周方向に細かい凹凸が連続している断面丸型のアルミニウム製の異形押出パイプ材とからなり、該押出板材のいずれか一方のアングル平面の長手方向中央部にその長手方向に直交して上記パイプ材の先端を固定し上記板材のいずれか他方のアングル平面がパイプ材に対しアングル状に支出して苗箱との係合片を構成することを特徴とする苗箱用レーキ。
【請求項５】
異形押出パイプ材の異形表面が柄部の滑り止め機能を有している請求項４記載の苗箱用レーキ。
【請求項６】
パイプ材の先端部を扁平状に押し潰してアングル材のアングル平面上に溶接固定する請求項４または５記載の苗箱用レーキ。
【請求項７】
柄部がアングル材の柄部取付面に対し上昇勾配を付けて取付けられ、柄部とアングル材の苗箱係合片とのなす角度が９０°より大きい作業適正角度に設定されている請求項１から６までのいずれか１項記載の苗箱用レーキ。
【請求項８】
苗箱収納棚内に配列収納されている苗を実装した苗箱を作業側手元に掻き寄せるための請求項１から７までのいずれか１項記載の苗箱用レーキ。
【考案の詳細な説明】
【技術分野】
【０００１】
本考案は苗箱用レーキに関する。
【背景技術】
【０００２】
稲苗その他の苗を栽培している苗箱を苗箱収納棚内に上下多段にかつ前後左右複数列に配列収容し、場合によってはこれら苗箱を収容した苗箱収納棚をトラックその他の搬送手段によって温室栽培地域から、現場の田圃等に搬送している。
この苗箱収納棚に配列収容されている苗を実装した苗箱を棚の奥部より作業者が手で手元に引き出す作業は煩雑であり、また実装苗箱には栽培用の水分が多量に収納されていることから、この水分が作業者の手元で跳ねたり溢れたりして作業者の身体に振り掛かかり、汚すことが多い。
【０００３】
従来はこの特に棚奥部側の実装苗箱を苗箱収納棚より効果的に作業者の手元に引出したり、取り出したりする適切な手法が知られていなかった。
【考案の開示】
【考案が解決しようとする課題】
【０００４】
本考案はこのように苗箱収納棚の棚段奥部に収容されている実装苗箱を棚の段面上に沿って円滑かつ効果的に作業者が手元に引き出すことのできる苗箱レーキを提供することを目的とする。
【課題を解決するための手段】
【０００５】
本考案は柄部の先端に苗箱係合用のアングル板材を取付けたことを特徴とする苗箱用レーキに係わる。
更に本考案は上記において長手方向に沿ってアングル状に折り曲げたれた長手方向細幅の板材の折曲げ片のうちいずれか一方を苗箱との係合片とし、いずれか他方を柄部取付片としたものおよび柄部の握り面に滑り止め加工を施したものに係わる。
【０００６】
また本考案は苗箱係合用のアングル材としての断面L型のアルミニウム製の押出板材と柄部としての表面に円周方向に細かい凹凸が連続している断面丸型のアルミニウム製の異形押出パイプ材とからなり、該押出板材のいずれか一方のアングル平面の長手方向中央部にその長手方向に直交して上記パイプ材の先端を固定し上記板材のいずれか他方のアングル平面がパイプ材に対しアングル状に支出して苗箱との係合片を構成することを特徴とする苗箱用レーキに係わる。
更に本考案は上記において異形押出パイプ材の異形表面が柄部の滑り止め機能を有しているものおよびパイプ材の先端部を扁平状に押し潰してアングル材のアングル平面上に溶接固定するものに係わる。
【０００７】
また本考案は上記において柄部がアングル材の柄部取付面に対し上昇勾配を付けて取付けられ、柄部とアングル材の苗箱係合片とのなす角度が９０°より大きい作業適正角度に設定されているものおよび苗箱収納棚内に配列収納されている苗を実装した苗箱を作業側手元に掻き寄せるためのものに係わる。
【考案の効果】
【０００８】
本考案の苗箱レーキを使用すれば苗箱収納棚の収納段奥部の苗箱を円滑かつ効果的に収納段上を作業者の手元近くに苗箱内の水分を溢すことなしに掻き寄せることができ、苗箱の積込み、積下し作業上極めて有効である。
【考案を実施するための最良の形態】
【０００９】
以下に本考案を図面に示す実施例によって説明するが、本考案はこれのみに制約されるものではない。
【実施例１】
【００１０】
図１および図２において（１）はアルミニウムないしはアルミニウム合金の押出成型で得られるアングル板材で長手方向適宜長さに裁断される。また（２）は円周表面に長手方向に沿った細溝（ないし細突條）（３）を刻設したパイプ材でアルミニウムないしアルミニウム合金の異形円筒状押出し成型品を所望の長さに切断して得られる。パイプ材（２）の先端を押し潰して平坦化しこの平坦端面（７）をアングル板材（１）の一方の折曲げ片（４）のアングル外面上の長手方向中央部に溶接固定するが、これによりパイプ材（２）は柄部として折曲げ片（４）の遊離端縁（５）の方向から外方へ長手方向に直交して延設される。アングル板材（１）の他方の折曲げ片（６）が苗箱との係合片となる。アングル板材（１）の折曲げ片（４）とパイプ材（２）のなす角度（α）は１０°前後と上り勾配を付けてパイプ材（２）はアングル材（１）に取付けられる。この係合片（６）と柄部（２）のなす角度９０°＋αが係合片（６）を苗箱に引掛けて掻き出すときの適正作業角度を形成する。
【図面の簡単な説明】
【００１１】
【図１】苗箱用レーキの要部斜視図である。
【図２】苗箱用レーキの側面図である。
【符号の説明】
【００１２】
１…アングル板材
２…パイプ材
３…細溝
４…柄部取付用折曲げ片
５…折曲げ片（４）の遊離縁
６…苗箱係合用片
７…柄部の平坦端面
α…柄部がアングル材に対して形成する上り勾配
【図１】
0003107688.tif 000003
【図２】
0003107688.tif 000004